(57)【要約】【課題】電気泳動表示装置において、分散媒の粘度の変動による影響を抑制しつつ、高品質な画像を表示する。【解決手段】電気泳動表示装置の駆動方法は、互いに対向する画素電極（２１）及び対向電極（２２）間に電気泳動粒子を含む電気泳動素子（２３）が夫々設けられた複数の画素（２０）からなる表示部（３）と、環境温度を検出する温度検出手段（１１１）とを備える電気泳動表示装置（１）の駆動方法である。該駆動方法において、対向電極に印加される対向電位としての第１電位は、検出された環境温度が温度閾値より低いことを条件に、少なくとも書き込み期間において変更される。【選択図】図４
2011242569.tif 000002
【特許請求の範囲】
【請求項１】
互いに対向する画素電極及び対向電極間に電気泳動粒子を含む電気泳動素子が夫々設けられた複数の画素からなる表示部と、環境温度を検出する温度検出手段とを備える電気泳動表示装置の駆動方法であって、
前記対向電極に印加される対向電位としての第１電位を、前記検出された環境温度が温度閾値より低いことを条件に、少なくとも書き込み期間において変更する
ことを特徴とする電気泳動表示装置の駆動方法。
【請求項２】
前記検出された環境温度が前記温度閾値より低いことを条件に、１フレーム期間を短縮することを特徴とする請求項１に記載の電気泳動表示装置の駆動方法。
【請求項３】
互いに対向する画素電極及び対向電極間に電気泳動粒子を含む電気泳動素子が夫々設けられた複数の画素からなる表示部と、
環境温度を検出する温度検出手段と、
前記対向電極に印加される対向電位としての第１電位を、前記検出された環境温度が温度閾値より低いことを条件に、少なくとも書き込み期間において変更する駆動手段と
を備えることを特徴とする電気泳動表示装置。
【請求項４】
互いに対向する画素電極及び対向電極間に電気泳動粒子を含む電気泳動素子が夫々設けられた複数の画素からなる表示部と、環境温度を検出する温度検出手段とを備える電気泳動表示装置の制御回路であって、
前記対向電極に印加される対向電位としての第１電位を、前記検出された環境温度が温度閾値より低いことを条件に、少なくとも書き込み期間において変更することを示す信号を出力する
ことを特徴とする電気泳動表示装置の制御回路。
【請求項５】
請求項３に記載の電気泳動表示装置を備えることを特徴とする電子機器。
【発明の詳細な説明】
【技術分野】
【０００１】
本発明は、電気泳動表示装置の駆動方法、該駆動方法により駆動される電気泳動表示装置、該電気泳動表示装置の制御回路、及び該電気泳動表示装置を備える電子機器の技術分野に関する。
【背景技術】
【０００２】
この種の駆動方法として、例えば、画素電極と共通電極との間に挟まれた電気泳動素子を備える電気泳動表示装置において、電気泳動粒子の移動位置を確定させるために必要な１フレーム期間を、複数のサブフィールドに区分し、該区分された複数のサブフィールドを適宜選択して、１フレーム期間中に画素電極に印加されるデータ電圧の印加期間を制御して、電気泳動粒子の移動位置を制御する駆動方法が提案されている（特許文献１参照）。
【０００３】
尚、電気泳動素子は、例えば帯電した白い電気泳動粒子及び黒い電気泳動粒子と、分散媒とを夫々含んでなる複数のマイクロカプセルから構成されている。
【先行技術文献】
【特許文献】
【０００４】
【特許文献１】特開２００４−１０２０５５号公報
【発明の概要】
【発明が解決しようとする課題】
【０００５】
ここで、電気泳動素子を構成する分散媒は、その粘度が温度に応じて変動する。このため、分散媒の粘度の変動に起因して、電気泳動粒子の移動量が変動する。すると、電気泳動表示装置に表示される画像のコントラストが低下したり、直前の描画内容が残像として残ったりする可能性があるという技術的問題点がある。上述の特許文献１に記載の技術では、該技術的問題点を解決することは極めて困難である。
【０００６】
本発明は、例えば上記問題点に鑑みてなされたものであり、分散媒の粘度の変動による影響を抑制しつつ、高品質な画像を表示可能な電気泳動表示装置の駆動方法、電気泳動表示装置、電気泳動表示装置の制御回路、及び電子機器を提案することを課題とする。
【課題を解決するための手段】
【０００７】
本発明の電気泳動表示装置の駆動方法は、上記課題を解決するために、互いに対向する画素電極及び対向電極間に電気泳動粒子を含む電気泳動素子が夫々設けられた複数の画素からなる表示部と、環境温度を検出する温度検出手段とを備える電気泳動表示装置の駆動方法であって、前記対向電極に印加される対向電位としての第１電位を、前記検出された環境温度が温度閾値より低いことを条件に、少なくとも書き込み期間において変更する。
【０００８】
本発明の電気泳動表示装置の駆動方法によれば、当該駆動方法は、互いに対向する画素電極及び対向電極間に電気泳動粒子を含む電気泳動素子が夫々設けられた複数の画素からなる表示部と、環境温度を検出する、例えば温度センサ等である温度検出手段とを備える電気泳動表示装置を駆動する方法である。尚、本発明に係る電気泳動表示装置には、典型的には、画素電極に電気的に接続され、該画素電極に供給される画像信号を一時的に保持する保持容量が設けられている。
【０００９】
当該駆動方法では、対向電極に印加される対向電位としての第１電位が、検出された環境温度が温度閾値より低いことを条件に、少なくとも書き込み期間において変更される。即ち、当該駆動方法では、検出された環境温度が温度閾値より低いことを条件に、少なくとも書き込み期間において対向電位が変更される。具体的には例えば、検出された環境温度が温度閾値より低いことを条件に、例えば０Ｖ等である第１電位が、例えば１５Ｖ等と該第１電位とは異なる電位に変更される。
【００１０】
「第１電位を変更」とは、典型的には、対向電位として第１電位が対向電極に印加されている場合に比べて、複数の画素の少なくとも一部を構成する画素電極及び対向電極間に印加される電圧が増加するように、対向電位を第１電位から他の電位に変更することを意味する。ここで、「複数の画素の少なくとも一部」とは、書き込み期間において、例えば、白表示から黒表示にする等の書き替えが必要な画素を意味する。
【００１１】
本発明に係る「温度閾値」とは、対向電位としての第１電位を変更するか否かを決定する値であり、予め固定値として、又は何らかの物理量若しくはパラメータに応じた可変値として定められる値である。
【００１２】
このような温度閾値は、実験的若しくは経験的に、又はシミュレーションによって、例えば環境温度とコントラストとの関係を求めて、該求められた関係に基づいて、コントラストの変化が許容範囲を超える環境温度として、又は該環境温度よりも所定値だけ高い温度として設定すればよい。或いは、例えば環境温度と、電気泳動素子を構成する分散媒の粘度との関係を求めて、該求められた関係に基づいて、粘度の環境温度に対する変化の割合（即ち、粘度の微分値）が大きく変わる環境温度として設定すればよい。
【００１３】
「書き込み期間」とは、電気泳動表示装置に表示される有効な（即ち、意味のある）画像の書き込みが行われる期間（言い換えれば、電気泳動表示装置上に、有効な画像を表示することを直接的な目的とする書き込み動作が行われる期間）を意味する。尚「書き込み期間において変更する」とは、書き込み期間の全期間にわたって対向電位を変更することに限らず、書き込み期間の一部の期間だけ対向電位を変更することも含んでよい。
【００１４】
電気泳動表示装置では、画素電極及び対向電極間に所定の電圧を印加することによって、マイクロカプセル内に封入された分散媒中において、例えば黒の電気泳動粒子と白の電気泳動粒子とが移動し、所定の画像が形成される。ここで、対向電極には、例えば接地電位等の一定の電位が印加されることが多い。他方、画素電極には、画像データに応じた電位が印加される。
【００１５】
ところで、分散媒は、その粘度が温度に応じて変動する。このため、温度が低下し、分散媒の粘度が大きくなると、電気泳動粒子の移動量が減少する。すると、画像のコントラストが低下したり、残像が生じたりする可能性がある。
【００１６】
ここで、温度が低下した際に、画素電極に印加される画素電位の絶対値を大きくすることによって、画素電極及び対向電極間に印加される電圧を大きくし、もって、電気泳動粒子の移動量の減少を抑制する方法も採り得る。しかしながら、画素電位の絶対値を大きくすると、駆動回路の耐電圧を向上させなければならず、例えばコストが増加したり、電気泳動表示装置の小型化等の妨げとなったりする可能性がある。
【００１７】
しかるに本発明では、上述の如く、対向電極に印加される対向電位としての第１電位が、検出された環境温度が温度閾値より低いことを条件に、少なくとも書き込み期間において変更される。つまり、本発明では、画素電位の絶対値を大きくすることによって、画素電極及び対向電極間に印加される電圧を大きくするのではなく、対向電位を変更することによって、画素電極及び対向電極間に印加される電圧を大きくしている。尚、対向電位は、画素電位の変動範囲（例えば、−１５Ｖ〜１５Ｖ等）において変更される。
【００１８】
このため、環境温度が低下して分散媒の粘度が増加しても、電気泳動粒子の移動量の減少を抑制することができる。加えて、対向電位を変更しているので、駆動回路の耐電圧に影響を与えない。以上の結果、本発明の電気泳動表示装置の駆動方法によれば、分散媒の粘度の変動による影響を抑制しつつ、高品質な画像を表示することができる。
【００１９】
尚、検出された環境温度が温度閾値より低いことを条件に、１フレーム期間を短縮してもよい。ここで、「１フレーム期間」とは、一の書き込み期間から次の書き込み期間までの期間を意味する。また、「１フレーム期間を短縮」とは、通常時（即ち、環境温度が温度閾値より高いとき）の１フレーム期間に比べて短くすることを意味する。尚、１フレーム期間は、保持容量に十分電荷を蓄えられる範囲で短くされる。
【００２０】
画素電極及び対向電極間に印加される電圧が大きくなると、保持容量の両端の電位差が大きくなる。これにより、書き込み期間に続く保持期間においてリーク電流が増加するため、保持容量の両端の電位差が比較的速く低下する。
【００２１】
上述の如く、１フレーム期間を短縮（即ち、リフレッシュレートを増加する）ことによって、保持期間における画素電極及び対向電極間に印加された電圧の低下を所定範囲内にすることができ、実用上非常に有利である。
【００２２】
本発明の電気泳動表示装置は、上記課題を解決するために、互いに対向する画素電極及び対向電極間に電気泳動粒子を含む電気泳動素子が夫々設けられた複数の画素からなる表示部と、環境温度を検出する温度検出手段と、前記対向電極に印加される対向電位としての第１電位を、前記検出された環境温度が温度閾値より低いことを条件に、少なくとも書き込み期間において変更する駆動手段とを備える。
【００２３】
本発明の電気泳動表示装置によれば、上述した本発明の電気泳動表示装置の駆動方法と同様に、分散媒の粘度の変動による影響を抑制しつつ、高品質な画像を表示することができる。
【００２４】
本発明の電気泳動表示装置の制御回路は、上記課題を解決するために、互いに対向する画素電極及び対向電極間に電気泳動粒子を含む電気泳動素子が夫々設けられた複数の画素からなる表示部と、環境温度を検出する温度検出手段とを備える電気泳動表示装置の制御回路であって、前記対向電極に印加される対向電位としての第１電位を、前記検出された環境温度が温度閾値より低いことを条件に、少なくとも書き込み期間において変更することを示す信号を出力する。
【００２５】
本発明の電気泳動表示装置の制御回路によれば、上述した本発明の電気泳動表示装置の駆動方法と同様に、分散媒の粘度の変動による影響を抑制しつつ、高品質な画像を表示することができる。
【００２６】
本発明の電子機器は、上記課題を解決するために、上述した本発明の電気泳動表示装置を備える。
【００２７】
本発明の電子機器によれば、上述した本発明の電気泳動表示装置を具備してなるので、分散媒の粘度の変動による影響を抑制しつつ、高品質な画像を表示可能な、例えば、腕時計、電子ペーパー、電子ノート、携帯電話、携帯用オーディオ機器などの各種電子機器を実現できる。
【００２８】
本発明の作用及び他の利得は次に説明する実施するための形態から明らかにされる。
【図面の簡単な説明】
【００２９】
【図１】本発明の実施形態に係る電気泳動表示装置の全体構成を示すブロック図である。
【図２】本発明の実施形態に係る電気泳動表示装置の表示部の構成を示すブロック図である。
【図３】本発明の実施形態に係る画素の電気的な構成を示す等価回路図である。
【図４】本発明の実施形態に係る電気泳動表示装置の駆動方法の要部を示すフローチャートである。
【図５】環境温度と分散媒の粘度との関係の一例を示す特性図である。
【図６】本発明の実施形態に係る表示部上に表示される画像の変化の様子の一例を示す概念図である。
【図７】環境温度が常温〜高温である場合の、画素電位及び共通電位の各々の時間変化の一例を示す概念図である。
【図８】環境温度が低温である場合の、画素電位及び共通電位の各々の時間変化の一例を示す概念図である。
【図９】電気泳動表示装置を適用した電子機器の一例としての電子ペーパーの構成を示す斜視図である。
【図１０】電気泳動表示装置を適用した電子機器の他の例としての電子ノートの構成を示す斜視図である。
【発明を実施するための形態】
【００３０】
以下、本発明に係る電気泳動表示装置、及び該電気泳動表示装置を備える電子機器の各実施形態を、図面に基づいて説明する。
【００３１】
＜電気泳動表示装置＞
（電気泳動表示装置の構成）
本発明の電気泳動表示装置の実施形態について、図１乃至図３を参照して説明する。尚、以下の図では、各層・各部材を図面上で認識可能な大きさとするため、該各層・各部材毎に縮尺を異ならしめている。
【００３２】
先ず、本実施形態に係る電気泳動表示装置の全体構成について、図１を参照して説明する。図１は、本実施形態に係る電気泳動表示装置の全体構成を示すブロック図である。
【００３３】
図１において、電気泳動表示装置１は、表示部３、制御回路１０、温度センサ１１１、表示体駆動回路１３０及び表示体電源回路２００を備えて構成されている。尚、表示部３と制御回路１０とは、互いに分離可能に構成されていてもよい。
【００３４】
本発明に係る「温度検出手段」の一例としての、温度センサ１１１は、環境温度を検出する。ここで、温度センサ１１１は、例えば表示部３（即ち、パネル）の裏面の中央に配置される。尚、温度センサ１１１の位置は、表示部３の裏面の中央に限らず、例えば、表示部３の裏面の端、ディスプレイフレームのうち常時ユーザの手が触れていない部分等、環境温度を正確に（言い換えれば、ユーザの体温の影響を受けずに）検出可能な位置であれば、どこに配置されていてもかまわない。また、温度センサ１１１は、一つに限らず、複数個設けられていてもよい。
【００３５】
温度センサ１１１から出力された環境温度を示す信号は、ＡＤＣ（Ａｎａｌｏｇ  Ｄｉｇｉｔａｌ  Ｃｏｎｖｅｒｔｅｒ）１１２においてデジタル値に変換され、論理回路（Ｐｒｏｇｒａｍｍａｂｌｅ  Ｌｏｇｉｃ  Ｄｅｖｉｃｅ：ＰＬＤ）１１３において、環境温度が温度閾値より低いか否かが判定される。該判定の結果（例えば、環境温度が温度閾値より低い場合は“１”、環境温度が温度閾値以上の場合は“０”等）は、ＲＡＭ（Ｒａｎｄｏｍ  Ａｃｃｅｓｓ  Ｍｅｍｏｒｙ）１１４に格納される。
【００３６】
本発明に係る「駆動手段」の一例としての、制御回路１０は、ＣＰＵ（Ｃｅｎｔｒａｌ  Ｐｒｏｃｅｓｓｉｎｇ  Ｕｎｉｔ）１０１、表示体駆動回路１０２、フラッシュＲＯＭ（Ｒｅａｄ  Ｏｎｌｙ  Ｍｅｍｏｒｙ）１０３、及びＲＡＭ１０４を備えて構成されている。
【００３７】
ここで、フラッシュＲＯＭ１０３には、例えばパーソナルコンピュータ等から転送された画像データ等が格納されている。ＲＡＭ１０４には、次回表示部３に描画される画像データが一時的に保持されている。表示体駆動制御回路１０２は、ＣＰＵ１０１を介して取得された、例えば、ＲＡＭ１０４に保持されている画像データ、ＲＡＭ１１４に格納されている判定結果等に基づいて、表示体電源回路２００及び表示体駆動回路１３０を制御して、表示部３に表示される画像の書き替えを行う。
【００３８】
表示体駆動回路１３０は、後述する走査線駆動回路１３１、データ線駆動回路１３２及び共通電位供給回路１３３を備えて構成されている。
【００３９】
次に、電気泳動表示装置１の表示部３について、図２を参照して説明を加える。図２は、本実施形態に係る電気泳動表示装置の表示部の構成を示すブロック図である。尚、図２では、説明の便宜上、図１において示した部材のうち、直接関係のない部材については図示を省略している。
【００４０】
図２において、表示部３には、ｍ行×ｎ列分の画素２０がマトリックス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００４１】
制御回路１０は、走査線駆動回路１３１、データ線駆動回路１３２及び共通電位供給回路１３３の動作を制御する。制御回路１０は、例えば、クロック信号、スタートパルス等のタイミング信号を各回路に供給する。
【００４２】
走査線駆動回路１３１は、制御回路１０から供給されるタイミング信号に基づいて、走査線Ｙ１、Ｙ２、…、Ｙｍの各々に走査信号をパルス的に順次供給する。データ線駆動回路１３２は、制御回路１０から供給されるタイミング信号に基づいて、データ線Ｘ１、Ｘ２、…、Ｘｎに画像信号を供給する。共通電位供給回路１３３は、共通電位線９３に共通電位Ｖｃｏｍを供給する。
【００４３】
尚、制御回路１０、走査線駆動回路１３１、データ線駆動回路１３２及び共通電位供給回路１３３には、各種の信号が入出力されるが、本実施形態と特に関係のないものについては説明を省略する。
【００４４】
次に、電気泳動表示装置１の画素２０における原理的構成について、図３を参照して説明する。図３は、本実施形態に係る画素の電気的な構成を示す等価回路図である。
【００４５】
図３において、画素２０は、画素スイッチング用トランジスター２４と、画素電極２１と、共通電極２２と、電気泳動素子２３と、保持容量２７とを備えている。
【００４６】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。
【００４７】
画素スイッチング用トランジスター２４は、データ線駆動回路１３２（図２参照）からデータ線５０を介して供給される画像信号を、走査線駆動回路１３１（図２参照）から走査線４０を介してパルス的に供給される走査信号に応じたタイミングで、画素電極２１及び保持容量２７に出力する。
【００４８】
画素電極２１には、データ線駆動回路１３２からデータ線５０及び画素スイッチング用トランジスター２４を介して、画像信号が供給される。画素電極２１は、電気泳動素子２３を介して共通電極２２と互いに対向するように配置されている。
【００４９】
本発明に係る「対向電極」の一例としての、共通電極２２は、共通電位Ｖｃｏｍが供給される共通電位線９３に電気的に接続されている。
【００５０】
電気泳動素子２３は、電気泳動粒子をそれぞれ含んでなる複数のマイクロカプセルから構成されている。
【００５１】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によって画像信号を一定期間だけ維持することができる。
【００５２】
（電気泳動表示装置の駆動方法）
次に、上述の如く構成された電気泳動表示装置１の駆動方法について、図４乃至図８を参照して説明する。
【００５３】
表示部３上に表示された画像が書き換えられる際の電気泳動表示装置１の駆動方法を図４のフローチャートを参照して説明する。図４は、本実施形態に係る電気泳動表示装置の駆動方法の要部を示すフローチャートである。
【００５４】
図４において、先ず、ユーザにより画面書き替えボタン１２１（図１参照）が押下されると、制御回路１０におけるＣＰＵ１０１は、ＲＡＭ１１４に格納されている、温度センサ１１１により測定された環境温度Ｔ１と、温度閾値Ｔｔｈとの関係（即ち、ＰＬＤ１１３における判定結果）を取得する（ステップＳ１０１）。
【００５５】
ここで、温度閾値Ｔｔｈについて、図５を参照して説明を加える。図５は、環境温度と分散媒の粘度との関係の一例を示す特性図である。
【００５６】
図５に示すように、電気泳動素子２３を構成するマイクロカプセルに封入されている分散媒は、その粘度が環境温度に応じて変動する。特に、環境温度がある程度より低くなると、分散媒の粘度が著しく大きくなる。このため、環境温度が低くなると、マイクロカプセルに封入されている電気泳動粒子の移動量が減少する（即ち、応答性が悪化する）可能性がある。この結果、表示部３上に表示される画像のコントラストが低下したり、残像が生じたりする可能性がある。
【００５７】
そこで、本実施形態では、図５に示すように、例えば分散媒の粘度の温度変化の傾きが著しく変化する温度を、温度閾値Ｔｔｈとして設定して、環境温度が該温度閾値Ｔｔｈより高いか否かに応じて、後述するように電気泳動表示装置１の駆動方法を変更している。つまり、本実施形態に係る「温度閾値Ｔｔｈ」は、電気泳動表示装置１の駆動方法を変更するか否かを決定する値である。
【００５８】
再び図４に戻り、ＣＰＵ１０１は、温度センサ１１１により測定された環境温度Ｔ１が、温度閾値Ｔｔｈよりも高いか否かを判定する（ステップＳ１０２）。環境温度Ｔ１が温度閾値Ｔｔｈよりも高いと判定された場合（ステップＳ１０２：Ｙｅｓ）、ＣＰＵ１０１は、例えばＲＯＭ１０３等から、「常温〜高温の駆動パラメータ」を取得して（ステップＳ１０３）、表示部３上に表示される画像の書き替えを行うように、表示体駆動制御回路１０２を介して、表示体駆動回１３０及び表示体電源回路２００を夫々制御する（ステップＳ１０４）。
【００５９】
ここで、環境温度Ｔ１が温度閾値Ｔｔｈより高い場合に、表示部３上に表示される画像の書き替える際の画素電位及び共通電位について、図６及び図７を参照して具体的に説明する。図６は、本実施形態に係る表示部上に表示される画像の変化の様子の一例を示す概念図であり、図７は、環境温度が常温〜高温である場合の、画素電位及び共通電位の各々の時間変化の一例を示す概念図である。
【００６０】
図６に示すように、表示部３のうち領域Ａを、例えば白から黒に書き替え、表示部３のうち領域Ｂを、例えば黒から白に書き替える場合の、画素電位及び共通電位の各々の時間変化について説明する。尚、白い電気泳動粒子は負に帯電しており、黒い電気泳動粒子は正に帯電しているものとする。
【００６１】
図７に示すように、先ず、リセット期間において、領域Ａ及び領域Ｂの画素電位が“−Ｖ”とされる。他方、共通電極２２には共通電位Ｖｃｏｍとして“０Ｖ”が供給される。この結果、表示部３の全体が白表示となる。
【００６２】
次に、書き込み期間において、領域Ａの画素電位が“＋Ｖ”とされる。他方、領域Ｂの画素電位が“０Ｖ”とされると共に、共通電極２２には共通電位Ｖｃｏｍとして“０Ｖ”が供給される。この結果、領域Ａが黒表示となり、領域Ｂは白表示が維持される。
【００６３】
再び図４に戻り、ステップＳ１０２の処理において、環境温度Ｔ１が温度閾値Ｔｔｈ以下であると判定された場合（ステップＳ１０２：Ｎｏ）、ＣＰＵ１０１は、例えばＲＯＭ１０３等から、「低温の駆動パラメータ」を取得して（ステップＳ１０５）、表示部３上に表示される画像の書き替えを行うように、表示体駆動制御回路１０２を介して、表示体駆動回１３０及び表示体電源回路２００を夫々制御する（ステップＳ１０６）。
【００６４】
ここで、環境温度Ｔ１が温度閾値Ｔｔｈ以下である場合に、表示部３上に表示されている画像を書き替える際の画素電位及び共通電位について、図８を参照して説明する。図８は、図７と同趣旨の、環境温度が低温である場合の、画素電位及び共通電位の各々の時間変化の一例を示す概念図である。
【００６５】
図６に示すように、表示部３のうち領域Ａを、例えば白から黒に書き替え、表示部３のうち領域Ｂを、例えば黒から白に書き替える場合、先ず、リセット期間において、領域Ａ及び領域Ｂの画素電位が“−Ｖ”とされる。他方、共通電極２２には共通電位Ｖｃｏｍとして“＋Ｖ”が供給される。このため、画素電極２１及び共通電極２２間に“２Ｖ”の電位差が生じる。従って、環境温度が低下して分散媒の粘度が増加しても、電気泳動粒子の移動量の低下を抑制しつつ、表示部３の全体を白表示とすることができる。
【００６６】
次に、書き込み期間において、領域Ａの画素電位が“＋Ｖ”とされる。他方、領域Ｂの画素電位が“−Ｖ”とされると共に、共通電極２２には共通電位Ｖｃｏｍとして“−Ｖ”が供給される。このため、領域Ａの画素電極２１及び共通電極２２間に“２Ｖ”の電位差が生じる。従って、電気泳動粒子の移動量の低下を抑制しつつ、領域Ａを黒表示とすることができる。
【００６７】
尚、環境温度Ｔ１が温度閾値Ｔｔｈ以下であると判定された場合、図８に示すように共通電位Ｖｃｏｍの値を変更することに加えて、１フレーム期間を短縮してもよい（即ち、リフレッシュレートを増加してもよい）。このように構成すれば、保持期間における画素電極２１及び対向電極２２間に印加された電圧の低下を抑制することができる。また、本実施形態では、リセット期間を設けたが、該リセット期間は省略されてもよい。  尚、本実施形態では温度閾値Ｔｔｈを分散媒の粘度の温度変化の傾きが著しく変化する温度としたが、高速な応答が要求される動作（例えば、外部入力装置による手書き入力等）を行う際のみ温度閾値Ｔｔｈを高く設定し、常温〜高温であっても画素電極及び対向電極間に印加される電圧を大きくしてもよい。
【００６８】
＜電子機器＞
次に、上述した電気泳動表示装置を適用した電子機器について、図９及び図１０を参照して説明する。以下では、上述した電気泳動表示装置を電子ペーパー及び電子ノートに適用した場合を例にとる。
【００６９】
図９は、電子ペーパー４００の構成を示す斜視図である。
【００７０】
図９に示すように、電子ペーパー４００は、上述した実施形態に係る電気泳動表示装置を表示部４０１として備えている。電子ペーパー４００は可撓性を有し、従来の紙と同様の質感及び柔軟性を有する書き換え可能なシートからなる本体４０２を備えて構成されている。
【００７１】
図１０は、電子ノート５００の構成を示す斜視図である。
【００７２】
図１０に示すように、電子ノート５００は、図９で示した電子ペーパー４００が複数枚束ねられ、カバー５０１に挟まれているものである。カバー５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００７３】
上述した電子ペーパー４００及び電子ノート５００は、上述した実施形態に係る電気泳動表示装置を備えるので、分散媒の粘度の変動による影響を抑制しつつ、高品質な画像表示を行うことが可能である。
【００７４】
尚、これらの他に、腕時計、携帯電話、携帯用オーディオ機器などの電子機器の表示部に、上述した本実施形態に係る電気泳動表示装置を適用することができる。
【００７５】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法、電気泳動表示装置、該電気泳動表示装置の制御回路、及び該電気泳動表示装置を備える電子機器もまた本発明の技術的範囲に含まれるものである。
【符号の説明】
【００７６】
１…電気泳動表示装置、３…表示部、１０…制御回路、２０…画素、２１…画素電極、２２…共通電極、２３…電気泳動素子、１１１…温度センサ、１３０…表示体駆動回路、２００…表示体電源回路
【図１】
2011242569.tif 000003
【図２】
2011242569.tif 000004
【図３】
2011242569.tif 000005
【図４】
2011242569.tif 000006
【図５】
2011242569.tif 000007
【図６】
2011242569.tif 000008
【図７】
2011242569.tif 000009
【図８】
2011242569.tif 000010
【図９】
2011242569.tif 000011
【図１０】
2011242569.tif 000012